(57)【要約】【課題】  ユーザの要求する広告情報を広告主の信頼情報に基づいて抽出し提供する。【解決手段】  広告入稿部１１と、広告入稿部１１からの要求により広告主の識別情報に基づいてインターネット上のホームページなどから広告主に関連する情報を収集するデータ収集部１２と、データ収集部１２が収集したホームページなどの情報を解析し広告主ごとの資本金や株主資本利益率などの信頼情報を蓄積する信頼情報データベース１８に蓄積するページ解析部１３と、ユーザからの広告情報の要求を受け付ける広告情報要求部１４と、広告情報要求部１４からの要求により広告管理ＤＢ１７からキーワードにより広告関連情報を抽出し、順位付けをする順位決定部１５と、順位決定部１５からの要求により広告主の信頼情報を信頼情報ＤＢ１８から抽出して信頼度を演算する信頼度演算部１６と、を備える。【選択図】図１
2006350667.tif 000002
【特許請求の範囲】
【請求項１】
インターネットを介して広告情報とそれに対応する信頼情報とを収集する登録装置と、
登録装置が収集した広告情報と信頼情報とを記憶するデータベースと、
広告情報の要求に応じてデータベースに記憶された該当する広告情報と信頼情報とに基づいて順位付けのための演算を実行し、その結果に基づいた順位で広告情報を出力する抽出装置と、
を備えることを特徴とする広告情報配信システム。
【請求項２】
前記抽出装置は、
広告情報の要求を受け付ける広告情報要求部と、
広告情報要求部からの要求に基づいてデータベースの広告情報から広告関連情報を抽出して順位付けをする順位決定部と、
順位決定部からの要求によりデータベースの信頼情報に基づいて信頼度を演算する信頼度演算部と、
を備えることを特徴とする請求項１に記載の広告情報配信システム。
【請求項３】
前記信頼度演算部は、
少なくとも、広告主の規模情報及び業績情報に基づいて信頼度を算出することを特徴とする請求項２に記載の広告情報配信システム。
【請求項４】
前記登録装置は、
広告情報と、広告主の識別情報と、広告主が提示した広告単価と、キーワードと、のうちのいずれか一つ以上を受け付けてデータベースに送信する広告入稿部と、
広告入稿部の要求により識別情報に基づいてインターネットを介して広告主に関する情報を収集するデータ収集部と、
データ収集部が収集した情報を解析して広告主ごとの所定の信頼情報をデータベースに送信するページ解析部と、
を備えることを特徴とする請求項１〜３のうちのいずれか１つに記載の広告情報配信システム。
【請求項５】
前記データ収集部は、
広告主の規模情報及び業績情報をインターネットを介して当該広告主のホームページから取得することを特徴とする請求項４に記載の広告情報配信システム。
【請求項６】
登録装置に、インターネットを介して広告情報とそれに対応する信頼情報とを収集させるステップと、
データベースに、登録装置が収集した広告情報と信頼情報とを記憶させるステップと、
抽出装置に、広告情報の要求に応じてデータベースに記憶された該当する広告情報と信頼情報とに基づいて順位付けのための演算を実行し、その結果に基づいた順位で広告情報を出力させるステップと、
を有することを特徴とする広告情報配信プログラム。
【請求項７】
前記抽出装置において、
広告情報要求部に、広告情報の要求を受け付けさせるステップと、
順位決定部に、広告情報要求部からの要求に基づいてデータベースの広告情報から広告関連情報を抽出して順位付けをさせるステップと、
信頼度演算部に、順位決定部からの要求によりデータベースの信頼情報に基づいて信頼度を演算させるステップと、
を実行させることを特徴とする請求項６に記載の広告情報配信プログラム。
【請求項８】
前記信頼度演算部において、
少なくとも、広告主の規模情報及び業績情報に基づいて信頼度を算出させることを特徴とする請求項７に記載の広告情報配信プログラム。
【請求項９】
前記登録装置において、
広告入稿部に、広告情報と、広告主の識別情報と、広告主が提示した広告単価と、キーワードと、のうちのいずれか一つ以上を受け付けてデータベースに送信させるステップと、
データ収集部に、広告入稿部の要求により識別情報に基づいてインターネットを介して広告主に関する情報を収集させるステップと、
ページ解析部に、データ収集部が収集した情報を解析して広告主ごとの所定の信頼情報をデータベースへ送信させるステップと、
を実行させることを特徴とする請求項６〜８のうちのいずれか１つに記載の広告情報配信プログラム。
【請求項１０】
前記データ収集部において、
広告主の規模情報及び業績情報をインターネットを介して当該広告主のホームページから取得させることを特徴とする請求項９に記載の広告情報配信プログラム。
【発明の詳細な説明】
【技術分野】
【０００１】
本発明は、ユーザの要求に応じた広告情報を提供する広告情報配信に関する。
【背景技術】
【０００２】
従来、インターネットなどを介してユーザの希望する広告情報を提供することが知られており、ユーザの参照履歴から似た傾向の参照履歴を持つユーザ群を抽出し、このユーザ群の参照履歴に基づいて、ユーザの興味のありそうな広告を提示して広告の効果を高めるようにすることが提案されている（例えば、特許文献１参照）。
【特許文献１】特開２００２−３３４０８５号公報
【発明の開示】
【発明が解決しようとする課題】
【０００３】
しかしながら、このような従来の広告情報配信に関する技術にあっては、ユーザの興味のありそうな広告を提示することはできるが、広告主である会社などが信頼できるかどうかについては考慮されていなかった。
【０００４】
ユーザが商品を購入する場合や、優良のサービスを受ける場合、販売店やサービス提供業者を選択する基準としては、価格とともに販売店やサービス提供業者の信頼性が重要なポイントとなっている。
【０００５】
そこで、本発明は、広告主の信頼性を評価して、この評価結果により広告情報の表示順を変えることにより、信頼性の高い広告主の広告情報を優先的に提示することを目的とする。
【課題を解決するための手段】
【０００６】
上記課題を解決するために、請求項１に記載の本発明は、インターネットを介して広告情報とそれに対応する信頼情報とを収集する登録装置と、登録装置が収集した広告情報と信頼情報とを記憶するデータベースと、広告情報の要求に応じてデータベースに記憶された該当する広告情報と信頼情報とに基づいて順位付けのための演算を実行し、その結果に基づいた順位で広告情報を出力する抽出装置と、を備える。
【０００７】
また、請求項２に記載の本発明は、請求項１において、前記抽出装置は、広告情報の要求を受け付ける広告情報要求部と、広告情報要求部からの要求に基づいてデータベースの広告情報から広告関連情報を抽出して順位付けをする順位決定部と、順位決定部からの要求によりデータベースの信頼情報に基づいて信頼度を演算する信頼度演算部と、を備える。
【０００８】
また、請求項３に記載の本発明は、請求項２において、前記信頼度演算部は、少なくとも、広告主の規模情報及び業績情報に基づいて信頼度を算出する。
【０００９】
また、請求項４に記載の本発明は、請求項１〜３のいずれか１つにおいて、前記登録装置は、広告情報と、広告主の識別情報と、広告主が提示した広告単価と、キーワードと、のうちのいずれか一つ以上を受け付けてデータベースに送信する広告入稿部と、広告入稿部の要求により識別情報に基づいてインターネットを介して広告主に関する情報を収集するデータ収集部と、データ収集部が収集した情報を解析して広告主ごとの所定の信頼情報をデータベースに送信するページ解析部と、を備える。
【００１０】
また、請求項５に記載の本発明は、請求項４において、前記データ収集部は、広告主の規模情報及び業績情報をインターネットを介して当該広告主のホームページから取得する。
【００１１】
また、請求項６に記載の本発明は、登録装置に、インターネットを介して広告情報とそれに対応する信頼情報とを収集させるステップと、データベースに、登録装置が収集した広告情報と信頼情報とを記憶させるステップと、抽出装置に、広告情報の要求に応じてデータベースに記憶された該当する広告情報と信頼情報とに基づいて順位付けのための演算を実行し、その結果に基づいた順位で広告情報を出力させるステップと、を有する。
【００１２】
また、請求項７に記載の本発明は、請求項６において、前記抽出装置において、広告情報要求部に、広告情報の要求を受け付けさせるステップと、順位決定部に、広告情報要求部からの要求に基づいてデータベースの広告情報から広告関連情報を抽出して順位付けをさせるステップと、信頼度演算部に、順位決定部からの要求によりデータベースの信頼情報に基づいて信頼度を演算させるステップと、を実行させる。
【００１３】
また、請求項８に記載の本発明は、請求項７において、前記信頼度演算部において、少なくとも、広告主の規模情報及び業績情報に基づいて信頼度を算出させる。
【００１４】
また、請求項９に記載の本発明は、請求項６〜８のいずれか１つにおいて、前記登録装置において、広告入稿部に、広告情報と、広告主の識別情報と、広告主が提示した広告単価と、キーワードと、のうちのいずれか一つ以上を受け付けてデータベースに送信させるステップと、データ収集部に、広告入稿部の要求により識別情報に基づいてインターネットを介して広告主に関する情報を収集させるステップと、ページ解析部に、データ収集部が収集した情報を解析して広告主ごとの所定の信頼情報をデータベースへ送信させるステップと、を実行させる。
【００１５】
また、請求項１０に記載の本発明は、請求項９において、前記データ収集部において、広告主の規模情報及び業績情報をインターネットを介して当該広告主のホームページから取得させる。
【発明の効果】
【００１６】
本発明によれば、要求されたキーワードにより抽出された広告情報の広告主の信頼度を算出し、この信頼度と広告単価によりリストの表示順位を決定しているので、信頼性の高い広告主の広告情報を優先的に提示することができる。
【００１７】
また、広告主の規模及び業績により信頼度を算出するようにすれば、容易に信頼度を算出することができる。
【００１８】
また、広告主の規模及び業績を、インターネット上のホームページから取得するようにすれば、ホームページ上の更新を広告主の信頼度に直ぐに反映させることができ、新しい情報で広告主の信頼度を算出することができる。
【発明を実施するための最良の形態】
【００１９】
図１は実施の形態を示す図である。
【００２０】
この図１は実施の形態の広告情報配信システム１が示され、抽出装置２と、データベース３と、登録装置４とで構成され、広告情報配信システム１にはインターネット１０が接続している。
【００２１】
また、データベース３には、広告管理ＤＢ１７と、信頼情報ＤＢ１８が含まれている。
【００２２】
また、インターネット１０に接続可能な登録装置４には、登録装置広告情報や広告主の識別情報や広告主が提示した広告単価やキーワードなどを受け付け、これら広告関連情報を蓄積しておく広告管理データベース（ＤＢ）１７に蓄積する広告入稿部１１と、広告入稿部１１からの要求により広告主の識別情報に基づいてインターネット上のホームページなどから広告主に関連する情報を収集するデータ収集部１２と、データ収集部１２が収集したホームページなどの情報を解析し、資本金や株主資本利益率（ＲＯＥ：Return On Equity）などの情報を抽出して、広告主ごとの資本金や株主資本利益率などの信頼情報を蓄積しておく信頼情報データベース（ＤＢ）１８に蓄積するページ解析部１３と、が含まれている。
【００２３】
さらに抽出装置２には、ユーザからのキーワードによる広告情報の要求を受け付ける広告情報要求部１４と、広告情報要求部１４からの要求により広告管理ＤＢ１７からキーワードにより広告関連情報を抽出し、順位付けをする順位決定部１５と、順位決定部１５からの要求により広告主の信頼情報を信頼情報ＤＢ１８から抽出して信頼度を演算する信頼度演算部１６と、が含まれている。
【００２４】
このような広告情報配信システムにおいて、新規の広告を登録するとき、図２のフローチャートに示すように、その広告に関する情報、例えば、広告として表示する文章や画像データやＵＲＬ（Uniform Resource Location）などの広告情報、広告主の社名や店名や会社コードやホームページのＵＲＬなどの識別情報、広告主が提示した広告単価、１つ以上の登録キーワードなどが広告入稿部１１に入力される（Ｓ１１）。
【００２５】
広告入稿部１１は、新規の広告に関する情報が入力されると、これらの情報を関連付けて、登録キーワードで検索可能にして広告管理ＤＢ１７に蓄積する（Ｓ１２）。
【００２６】
次いで、広告入稿部１１は、広告主の社名や店名や会社コードやホームページのＵＲＬなどの識別情報により広告主の関連情報の収集をデータ収集部１２に要求する。
【００２７】
データ収集部１２は、広告主の関連情報の収集要求を受けると、予め設定された株主情報や会社情報を掲載したホームページから広告主の社名や店名や会社コードに基づいて広告主の株式情報や会社情報が掲載されたページを収集したり（例えば、ある企業情報検索サイトにて提供される「公告・企業データ検索」により検索した図４に示すようなページ）、広告主のホームページから会社概要や沿革のページを収集したりして（Ｓ１３）、収集した情報をページ解析部１３に渡し、解析を要求する。
【００２８】
ページ解析部１３は、データ収集部１２から受け取ったホームページのデータを解析し（Ｓ１４）、資本金や株主資本利益率や売上や損益や時価総額や一株あたりの資産などの情報を抽出し（例えば、ある企業情報検索サイトにて提供される「公告・企業データ検索」により検索した図４に示すようなページでは、時価総額や一株あたりの資産などが定型的なフォーマットで出力されているので、容易に情報を抽出することができる）、広告主の識別情報と関連付けて信頼情報ＤＢ１８に蓄積する（Ｓ１５）。以上で蓄積処理が完了する（Ｓ１６）。
【００２９】
このようにして、広告関連情報が広告管理ＤＢ１７に登録キーワードにより検索可能に蓄積されるとともに、広告主の信頼情報が信頼情報ＤＢ１８に蓄積される。
【００３０】
次に図３に広告関連情報の抽出処理を説明するためのフロー図を示す。
【００３１】
まず、処理の開始が指示され（Ｓ２０）、広告情報要求部１４がユーザからのキーワードによる広告情報要求を受信すると（Ｓ２１）、広告情報要求部１４は、キーワードを順位決定部１５に送って、順位付けされた広告情報のリストを要求する。
【００３２】
順位決定部１５は、キーワードを受けると、広告管理ＤＢ１７からキーワードに一致する登録キーワードが設定されている広告関連情報を抽出する（Ｓ２２）。
【００３３】
次いで、抽出した広告関連情報の広告主の識別情報により、信頼度演算部１６に信頼度の算出を要求する。
【００３４】
信頼度演算部１６は、広告主の識別情報により信頼情報ＤＢ１８から当該広告主の信頼情報を抽出し、信頼情報から予め設定された基準に基づいて信頼度を算出する（Ｓ２３）。
【００３５】
例えば、資本金や株主資本利益率や売上や損益や時価総額や一株あたりの資産のそれぞれについて、複数の値の範囲が定義され、それぞれの範囲に対応する信頼度が予め設定されていて、広告主の資本金や株主資本利益率や売上や損益や時価総額や一株あたりの資産のそれぞれの値が該当する範囲に対応する信頼度が求められ、資本金や株主資本利益率や売上や損益や時価総額や一株あたりの資産のそれぞれに対応する信頼度を足した値を広告主の信頼度とする。
【００３６】
信頼度演算部１６は、算出した信頼度を順位決定部１５に返信する。
【００３７】
順位決定部１５は、キーワードから抽出された広告関連情報の広告主全てに対して信頼度演算部１６により上述の信頼度の算出を行い、算出された信頼度と広告関連情報に設定されている広告単価とに基づいて評価値を算出し（Ｓ２４）、キーワードから抽出された広告関連情報を評価値の大きい順に順位付けし（Ｓ２５）、広告情報要求部１４に返信する。
【００３８】
例えば、広告単価と信頼度との和を評価値としてもよいし、広告単価も信頼度と同様に、複数の値の範囲を定義し、それぞれの範囲に対応する値を予め設定し、広告単価が該当する範囲に対応する値と信頼度との和を評価値としてもよい。
【００３９】
広告情報要求部１４は、順位付けされた広告関連情報を受け取ると、順位の高い（評価値の大きい）順に広告情報（文章や画像やＵＲＬなど）を表示するＨＴＭＬ（Hyper Text Markup Language）等のファイルを作成し（Ｓ２６）、広告情報要求元に送信して抽出処理が終了する（Ｓ２７）。
【００４０】
このように本実施の形態においては、広告主の識別情報を基に、インターネットのホームページから広告主に関連する情報を収集し、収集した情報を解析して広告主の信頼度を示す情報（資本金や株主資本利益率や売上や損益や時価総額や一株あたりの資産など）を抽出し、これらの情報から信頼度を算出し、算出した信頼度を広告の評価値に加味し、評価値の大きい順に広告情報を表示してユーザに提示しているので、広告主の信頼度を加味した広告情報の表示とすることができ、信頼度の高い広告主の広告情報を優先的に提示することができる。
【００４１】
なお、本実施の形態は、図５に示すような構成のパーソナルコンピュータ等のコンピュータにより構成することができる。
【００４２】
図５において、コンピュータは、プログラムに従って装置各部を統括制御して各種処理を実行するＣＰＵ（Central Processing Unit）２１と、起動時の制御プログラムを格納するＲＯＭ（Read-Only Memory）２２と、動作する上で必要なデータを記憶するＲＡＭ（Random Access Memory）２３と、プログラムやプログラムが動作する上で必要な情報やプログラムが収集・処理した情報を蓄積しておくハードディスク２４と、インターネット１０などのネットワークに接続され、該ネットワークを介しての通信を制御するネットワークインターフェース（ＩＦ）２５とがパス３０を介しての接続されている。
【００４３】
このようなコンピュータにおいて、広告入稿部１１、データ収集部１２、ページ解析部１３、広告情報要求部１４、順位決定部１５、信頼度演算部１６は、それぞれの処理をＣＰＵ２１に実行させるプログラムとして構成され、広告管理データベース１７、信頼情報データベース１８は、ハードディスク２４内に構成される。
【００４４】
また、本実施の形態では、広告の新規登録時に、広告主の関連情報を収集・解析し、信頼情報データベースに登録する例を説明したが、広告の登録後にも、所定の時間間隔で広告主の関連情報を収集・解析し、信頼情報データベースに登録されている情報を更新するような構成としてもよい。
【図面の簡単な説明】
【００４５】
【図１】実施の形態の広告情報配信システムの構成図を示す。
【図２】実施の形態の登録処理を説明するためのフロー図を示す。
【図３】実施の形態の抽出処理を説明するためのフロー図を示す。
【図４】収集対象となるホームページの一例を示す。
【図５】実施の形態のコンピュータの構成図を示す。
【符号の説明】
【００４６】
１  広告情報配信システム
２  抽出装置
３  データベース
４  登録装置
１１  広告入稿部
１２  データ収集部
１３  ページ解析部
１４  広告情報要求部
１５  順位決定部
１６  信頼度演算部
１７  広告管理データベース（ＤＢ）
１８  信頼情報データベース（ＤＢ）
２１  ＣＰＵ（Central Processing Unit）
２２  ＲＯＭ（Read-Only Memory）
２３  ＲＡＭ（Random Access Memory）
２４  ハードディスク
２５  ネットワークインターフェース（ＩＦ）
３０  バス
【図１】
2006350667.tif 000003
【図２】
2006350667.tif 000004
【図３】
2006350667.tif 000005
【図４】
2006350667.tif 000006
【図５】
2006350667.tif 000007